(57)【要約】      （修正有）【課題】対象物の色を高い再現性で表現可能な調整画像データを生成する。【解決手段】調整画像データ生成装置１０は、通信部１２と、記憶部１８と、調整部１４とを備える。通信部１２は、画像データＧＤを含む入力信号ＩＳを外部の通信機器から受信する。記憶部１８は、色基準物の色基準データを記憶する。調整部１４は、色基準物を示す色基準物画像と対象物を示す対象物画像とを表す画像データに対して、色基準物画像の色データが基準データと整合するように対象物画像を調整した調整画像データを生成する。通信部１２は、さらに、調整画像データＡＤを含む出力信号ＯＳを外部の通信機器に送信する。【選択図】図１
2020167680.tif 000002
【特許請求の範囲】
【請求項１】
色基準物の色基準データを記憶する記憶部と、
前記色基準物を示す色基準物画像と対象物を示す対象物画像とを表す画像データに対して、前記色基準物画像の色データが前記色基準データと整合するように前記対象物画像を調整した調整画像データを生成する調整部と
を備える、調整画像データ生成装置。
【請求項２】
前記調整部は、前記調整画像データから前記色基準物画像の部分を削除する、請求項１に記載の調整画像データ生成装置。
【請求項３】
前記調整部は、前記色基準データと前記色データとの差分を取得する、請求項１または２に記載の調整画像データ生成装置。
【請求項４】
前記調整部は、前記色基準データと前記色データとに基づいて色基準調整テーブルを生成し、
前記調整部は、追加対象物を示す追加対象物画像を表す画像データに対して、前記色基準調整テーブルに基づいて、前記追加対象物画像を調整した調整画像データを生成する、請求項１から３のいずれかに記載の調整画像データ生成装置。
【請求項５】
前記記憶部は、前記調整画像データ生成装置と表示装置との間で色信号を変化するための色変換テーブルを記憶しており、
前記調整部は、前記調整画像データと前記色変換テーブルとに基づいて色差調整画像データを生成する、請求項１から４のいずれかに記載の調整画像データ生成装置。
【請求項６】
請求項５に記載の調整画像データ生成装置と、
表示装置と
を備え、
前記表示装置は、前記色差調整画像データに基づいて前記対象物画像を表示する、色差調整画像表示システム。
【請求項７】
色基準物の色基準データを記憶するステップと、
前記色基準物を示す色基準物画像と対象物を示す対象物画像とを表す画像データに対して、前記色基準物画像の色データが前記色基準データと整合するように前記対象物画像を調整した調整画像データを生成するステップと
を包含する、調整画像データ生成方法。
【請求項８】
前記調整画像データから前記色基準物画像の部分を削除するステップをさらに包含する、請求項７に記載の調整画像データ生成方法。
【請求項９】
前記調整画像データを生成するステップにおいて、前記色基準データと前記色データとの差分を取得する、請求項７または８に記載の調整画像データ生成方法。
【請求項１０】
前記調整画像データを生成するステップにおいて、前記色基準データと前記色データとに基づいて色基準調整テーブルを生成し、
追加対象物を示す追加対象物画像を表す画像データに対して、前記色基準調整テーブルに基づいて、前記追加対象物画像を調整した調整画像データを生成するステップをさらに包含する、請求項７〜９のいずれかに記載の調整画像データ生成方法。
【請求項１１】
色基準物を示す色基準物画像と対象物を示す対象物画像とを表す画像データを受け取るステップと、
前記画像データに対して、前記色基準物画像の色データが前記色基準物画像の色基準データと整合するように前記対象物画像を調整した調整画像データを生成するステップと
をコンピューターに実行させる、調整画像データ生成プログラム。
【請求項１２】
請求項７から１１のいずれかに記載の調整画像データ生成方法にしたがって、調整画像データ生成装置において調整画像データを生成するステップと、
前記調整画像データ生成装置と表示装置との間で色信号を変換するための色変換テーブルを生成するステップと、
前記調整画像データと前記色変換テーブルとに基づいて色差調整画像データを生成するステップと、
前記色差調整画像データを前記表示装置に送信するステップと
を包含する、色差調整画像表示方法。
【請求項１３】
前記色差調整画像データを生成するステップにおいて、前記色差調整画像データは、前記調整画像データと前記色変換テーブルとを含む、請求項１２に記載の色差調整画像表示方法。
【請求項１４】
色基準物の色基準データと、前記色基準物を示す色基準物画像を表す画像データの色データとの関係を示す色基準調整テーブルを記憶する記憶部と、
対象物画像を表す画像データに基づいて、前記色基準調整テーブルに従って前記対象物画像を調整した調整画像データを生成する調整部と
を備える、調整画像データ生成装置。
【請求項１５】
色基準物の色基準データと、前記色基準物を示す色基準物画像を表す画像データの色データとの関係を示す色基準調整テーブルを取得するステップと、
対象物画像を表す画像データに基づいて、前記色基準調整テーブルに従って前記対象物画像を調整した調整画像データを生成するステップと
を包含する、調整画像データ生成方法。
【発明の詳細な説明】
【技術分野】
【０００１】
本発明は、調整画像データ生成装置、色差調整画像表示システム、調整画像データ生成方法、調整画像データ生成プログラムおよび色差調整画像表示方法に関する。
【背景技術】
【０００２】
昨今、電子商取引が益々盛んになっており、取引者が取引対象物を直接確認することなく取引を進める機会が増加している。この場合、一般には、取引者が対象物を確認するために、表示装置に対象物を表示させて、取引が進められる。
【０００３】
しかしながら、表示装置によって表示される対象物の画像の色は、厳密には、対象物自体の色と異なることがあることが知られている。例えば、衣料品、靴、化粧品、装飾品等にとって色は重要な要素であるが、表示装置ではこれらの対象物の色を充分に再現できず、良好な取引を進められず問題となっていた。
【０００４】
また、近年、表示装置を利用した遠隔診察および遠隔治療が進められている。この場合も、患者および／または患部の色は診察および／または治療における判断の重要な要素となるが、表示装置ではこれらの対象物の色を充分に再現できなかった。
【０００５】
そのため、表示装置によって表示される対象物の画像の色が対象物自体の色を再現することが求められている。例えば、画像表示装置に外光センサーを取り付け、画像データにしたがって画像表示装置によって表示される画像を外光センサーで検出することにより、画像データを校正できることが知られている（特許文献１参照）。特許文献１には、外光センサー自体を校正し、表示装置によって表示される対象物の画像の色が対象物自体の色を再現している。
【先行技術文献】
【特許文献】
【０００６】
【特許文献１】特開２０１６−６１８７６公報
【発明の概要】
【発明が解決しようとする課題】
【０００７】
しかしながら、特許文献１の画像表示装置では、画像表示装置に外光センサーを取り付ける必要がある。このため、一般的な表示装置では、表示する対象物の画像の色が対象物自体の色を再現することが困難であった。
【０００８】
本発明は上記課題に鑑みてなされたものであり、その目的は、対象物の画像の色を高い再現性で表現可能な調整画像データを生成する調整画像データ生成装置、色差調整画像表示システム、調整画像データ生成方法、調整画像データ生成プログラムおよび色差調整画像表示方法を提供することにある。
【課題を解決するための手段】
【０００９】
本発明による色差調整データ生成装置は、記憶部と、調整部とを備える。前記記憶部は、色基準物の色基準データを記憶する。前記調整部は、前記色基準物を示す色基準物画像と対象物を示す対象物画像とを表す画像データに対して、前記色基準物画像の色データが前記色基準データと整合するように前記対象物画像を調整した調整画像データを生成する。
【００１０】
前記調整部は、前記調整画像データから前記色基準物画像の部分を削除する。
【００１１】
ある実施形態において、前記調整部は、前記色基準データと前記色データとの差分を取得する。
【００１２】
ある実施形態において、前記調整部は、前記色基準データと前記色データとに基づいて色基準調整テーブルを生成する。前記調整部は、追加対象物を示す追加対象物画像を表す画像データに対して、前記色基準調整テーブルに基づいて、前記追加対象物画像を調整した調整画像データを生成する。
【００１３】
ある実施形態において、前記記憶部は、前記調整画像データ生成装置と表示装置との間で色信号を変化するための色変換テーブルを記憶しており、前記調整部は、前記調整画像データと前記色変換テーブルとに基づいて色差調整画像データを生成する。
【００１４】
本発明による色差調整画像表示システムは、上記記載の調整画像データ生成装置と、表示装置とを備える。前記表示装置は、前記色差調整画像データに基づいて前記対象物画像を表示する。
【００１５】
本発明による調整画像データ生成方法は、色基準物の色基準データを記憶するステップと、前記色基準物を示す色基準物画像と対象物を示す対象物画像とを表す画像データに対して、前記色基準物画像の色データが前記色基準データと整合するように前記対象物画像を調整した調整画像データを生成するステップとを包含する。
【００１６】
前記調整画像データ生成方法は、前記調整画像データから前記色基準物画像の部分を削除するステップをさらに包含する。
【００１７】
ある実施形態において、前記調整画像データを生成するステップにおいて、前記色基準データと前記色データとの差分を取得する。
【００１８】
ある実施形態において、前記調整画像データを生成するステップにおいて、前記色基準データと前記色データとに基づいて色基準調整テーブルを生成する。前記調整画像データ生成方法は、追加対象物を示す追加対象物画像を表す画像データに対して、前記色基準調整テーブルに基づいて、前記追加対象物画像を調整した調整画像データを生成するステップをさらに包含する。
【００１９】
本発明による調整画像データ生成プログラムは、色基準物を示す色基準物画像と対象物を示す対象物画像とを表す画像データを受け取るステップと、前記画像データに対して、前記色基準物画像の色データが前記色基準物画像の色基準データと整合するように前記対象物画像を調整した調整画像データを生成するステップとをコンピューターに実行させる。
【００２０】
本発明による色差調整画像表示方法は、上記に記載の調整画像データ生成方法にしたがって、調整画像データ生成装置において調整画像データを生成するステップと、前記調整画像データ生成装置と表示装置との間で色信号を変換するための色変換テーブルを生成するステップと、前記調整画像データと前記色変換テーブルとに基づいて色差調整画像データを生成するステップと、前記色差調整画像データを前記表示装置に送信するステップとを包含する。
【００２１】
ある実施形態において、前記色差調整画像データを生成するステップにおいて、前記色差調整画像データは、前記調整画像データと前記色変換テーブルとを含む。
【００２２】
本発明による色差調整データ生成装置は、記憶部と、調整部とを備える。前記記憶部は、色基準物の色基準データと、前記色基準物を示す色基準物画像を表す画像データの色データとの関係を示す色基準調整テーブルを記憶する。前記調整部は、対象物画像を表す画像データに基づいて、前記色基準調整テーブルに従って前記対象物画像を調整した調整画像データを生成する。
【００２３】
本発明による調整画像データ生成方法は、色基準物の色基準データと、前記色基準物を示す色基準物画像を表す画像データの色データとの関係を示す色基準調整テーブルを取得するステップと、対象物画像を表す画像データに基づいて、前記色基準調整テーブルに従って前記対象物画像を調整した調整画像データを生成するステップとを包含する。
【発明の効果】
【００２４】
本発明によれば、対象物の色を高い再現性で表現可能な調整画像データを生成できる。
【図面の簡単な説明】
【００２５】
【図１】本実施形態の調整画像データ生成装置の模式図である。
【図２】本実施形態の調整画像データ生成装置の実行する調整画像データ生成方法のフローを説明するための模式図である。
【図３】本実施形態の調整画像データ生成システムの模式図である。
【図４】本実施形態の調整画像データ生成システムにおける色基準データの生成を説明するための模式図である。
【図５】本実施形態の調整画像データ生成システムの実行する調整画像データ生成方法のフローを説明するための模式図である。
【図６】本実施形態の色差調整画像表示システムの模式図である。
【図７】本実施形態の色差調整画像表示システムにおける表示装置に対する色差調整を説明するための模式図である。
【図８】本実施形態の色差調整画像表示システムの実行する色差調整画像表示方法のフローを説明するための模式図である。
【図９】本実施形態の調整画像データ生成装置の実行する調整画像データ生成方法のフローを説明するための模式図である。
【図１０】本実施形態の調整画像データ生成装置の実行する調整画像データ生成方法のフローを説明するための模式図である。
【図１１】本実施形態の調整画像データ生成装置の実行する調整画像データ生成方法のフローを説明するための模式図である。
【図１２】（ａ）は本実施形態の調整画像データ生成装置による画像調整前の画像データを示す模式図であり、（ｂ）は本実施形態の調整画像データ生成装置による画像調整後の調整画像データを示す模式図である。
【図１３】本実施形態の調整画像データ生成装置の実行する調整画像データ生成方法のフローを説明するための模式図である。
【図１４】本実施形態の調整画像データ生成装置による調整画像データの生成を説明するための模式図である。
【図１５】本実施形態の調整画像データ生成装置と連携する連携装置とを説明するための模式図である。
【発明を実施するための形態】
【００２６】
以下、本発明の実施形態について、図面を参照しながら説明する。なお、図中、同一または相当部分には同一の参照符号を付して説明を繰り返さない。
【００２７】
以下、図１を参照して、本発明による調整画像データ生成装置１０の実施形態を説明する。図１は、本実施形態の調整画像データ生成装置１０の模式的なブロック図である。なお、本明細書の以下の説明において、調整画像データ生成装置または調整画像データ生成装置１０を単にデータ生成装置またはデータ生成装置１０と記載することがある。
【００２８】
データ生成装置１０は、入力信号ＩＳを受信する。例えば、データ生成装置１０は、外部機器から入力信号ＩＳを受信する。入力信号ＩＳは、画像データＧＤを含む。画像データＧＤは、対象物の画像を示す対象物画像と色基準物の画像を示す色基準物画像とを表す。なお、後の画像データＧＤは、対象物の画像を示す対象物画像のみを示してもよい。あるいは、画像データＧＤは、色基準物の画像を示す色基準物画像を示し、別の画像データＧＤは、対象物の画像を示す対象物画像を示してもよい。
【００２９】
典型的には、画像データＧＤは、対象物および色基準物を撮像装置で撮像することで生成される。撮像装置は、デジタルビデオカメラであってもよい。あるいは、撮像装置は、撮像機能を有するスマートフォン、携帯電話またはタブレットであってもよい。
【００３０】
画像データＧＤのフォーマットは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）である。ただし、画像データＧＤのフォーマットは、これに限定されない。画像データＧＤのフォーマットは、ＴＩＦＦ（Ｔａｇｇｅｄ  Ｉｍａｇｅ  Ｆｉｌｅ  Ｆｏｒｍａｔ）であってもよい。あるいは、画像データＧＤのフォーマットは、他の任意の形式であってもよい。
【００３１】
色基準物には少なくとも１つの所定の色が付されている。色基準物には複数の所定の色が付されていてもよい。例えば、色基準物は、１以上の所定の色の固定された固定物であってもよい。あるいは、色基準物は、１以上の所定の色を表示する表示装置であってもよい。一例では、表示装置は、スマートフォン、携帯電話またはタブレットであってもよい。あるいは、表示装置は、パーソナルコンピューターのディスプレイであってもよい。一例では、表示装置は、ノートパソコンまたはデスクトップのモニタであってもよい。あるいは、色基準物は、印刷物であってもよい。
【００３２】
データ生成装置１０は、入力信号ＩＳの画像データＧＤに基づいて調整画像データＡＤを生成する。例えば、データ生成装置１０は、調整画像データＡＤを含む出力信号ＯＳを外部機器に送信する。なお、調整画像データＡＤの送信先は、入力信号ＩＳの送信元と同じであってもよく、異なってもよい。
【００３３】
このように、データ生成装置１０は、入力信号ＩＳの画像データＧＤに基づいて調整画像データＡＤを生成する。データ生成装置１０は、例えば、サーバーである。
【００３４】
データ生成装置１０は、通信部１２と、調整部１４と、制御部１６と、記憶部１８とを備える。制御部１６は、通信部１２および調整部１４を制御する。制御部１６は、プロセッサーを含む。プロセッサーは、中央処理演算機（Ｃｅｎｔｒａｌ  ＰｒｏｃｅｓｓｉｎｇＵｎｉｔ：ＣＰＵ）を含んでもよい。あるいは、プロセッサーは、マイクロコンピューターを含んでもよい。または、プロセッサーは、特定用途用集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）を含んでもよい。なお、データ生成装置１０は、サーバー内に実装されてもよい。例えば、データ生成装置１０は、サーバー内のプログラムを実行することによって機能してもよい。
【００３５】
通信部１２は、外部の通信機器と通信する。ここでは、通信部１２は、画像データＧＤを含む入力信号ＩＳを外部の通信機器から受信する。また、通信部１２は、調整画像データＡＤを含む出力信号ＯＳを外部の通信機器に送信してもよい。通信部１２は、調整画像データＡＤと別のデータとを含む出力信号ＯＳを外部の通信機器に送信してもよい。
【００３６】
調整部１４は、入力信号ＩＳの画像データＧＤに基づいて調整画像データＡＤを生成する。調整部１４は、入力信号ＩＳの画像データＧＤに表された対象物画像の色が対象物の色を再現して表示されるように画像データＧＤを調整して調整画像データＡＤを生成する。
【００３７】
調整部１４は、入力信号ＩＳの画像データＧＤを調整画像データＡＤに調整する。調整処理により、調整画像データＡＤに表される色基準物画像の色が画像データＧＤに表された色基準物画像の色と異なり色基準物自体の色を再現するように調整画像データＡＤは調整される。この調整処理により、調整画像データＡＤに表される対象物画像の色が画像データＧＤに表された対象物画像の色と異なるように調整される。
【００３８】
また、調整部１４は、調整画像データＡＤと別のデータとに基づいてさらに別の画像データを生成してもよい。
【００３９】
記憶部１８は、主記憶装置と、補助記憶装置とを含む。主記憶装置は、例えば、半導体メモリーである。補助記憶装置は、例えば、半導体メモリーおよび／またはハードディスクドライブである。記憶部１８はリムーバブルメディアを含んでいてもよい。
【００４０】
記憶部１８は、色基準物の色基準データを記憶する。色基準データは色信号を含む。例えば、色信号はＲＧＢで表記される。あるいは、色信号はＬａｂで表記される。
【００４１】
記憶部１８は、制御プログラムを記憶する。制御プログラムは、非一時的コンピューター読取可能記憶媒体に記憶される。非一時的コンピューター読取可能記憶媒体は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、磁気ディスクまたは光データ記憶装置を含む。制御部１６は、記憶部１８に記憶された制御プログラムを実行することによって、データ生成装置１０の各構成要素の動作を制御する。制御部１６は、記憶部１８の記憶しているコンピュータープログラムを実行して、画像データＧＤから調整画像データＡＤを生成する。
【００４２】
例えば、記憶部１８は、色変換テーブルを記憶してもよい。色変換テーブルは、画像データＧＤの色データを調整画像データＡＤの色データに変換するためのテーブルを示す。調整部１４は、記憶部１８の色変換テーブルに基づいて、画像データＧＤに基づいて調整画像データＡＤを生成してもよい。
【００４３】
あるいは、記憶部１８は、演算式を記憶してもよい。演算式は、画像データＧＤの色データを調整画像データＡＤの色データに変換するための式を示す。調整部１４は、記憶部１８の演算式に基づいて、画像データＧＤに基づいて調整画像データＡＤを生成してもよい。または、記憶部１８は、色変換テーブルおよび演算式を記憶しており、調整部１４は、記憶部１８の色変換テーブルおよび演算式に基づいて、画像データＧＤに基づいて調整画像データＡＤを生成してもよい。
【００４４】
また、記憶部１８は、画像データＧＤを調整した調整画像データＡＤを生成するための調整画像データ生成プログラムを記憶してもよい。例えば、調整画像データ生成プログラム１０ｓを実行することにより、調整部１４が具現化されてもよい。
【００４５】
本実施形態のデータ生成装置１０において、調整部１４は、色基準物を示す色基準物画像と対象物を示す対象物画像とを表す画像データＧＤに対して、色基準物画像の色データが色基準データと整合するように対象物画像を調整した調整画像データＡＤを生成する。このため、対象物の色を高い再現性で表現可能な調整画像データＡＤを生成できる。また、本実施形態のデータ生成装置１０では、対象物が手元になくても、色基準データを利用して、対象物画像を含む画像データＧＤに基づいて、対象物画像の色を調整した調整画像データＡＤを生成できる。
【００４６】
次に、図１および図２を参照して、本実施形態のデータ生成装置１０による調整画像データ生成方法を説明する。図２は、本実施形態のデータ生成装置１０による調整画像データ生成方法を説明するためのフロー図である。
【００４７】
図２のステップＳ１１においてデータ生成装置１０の通信部１２が画像データＧＤを含む入力信号ＩＳを受信するのに先立ち、ステップＳ１０において画像データＧＤを生成する。画像データＧＤは、対象物Ｔと色基準物３０とを撮像装置で撮像することで生成される。画像データＧＤは、対象物Ｔの画像を示す対象物画像Ｔｇと色基準物３０の画像を示す色基準物画像３０ｇとを含む画像Ｇを表す。色基準物３０を所定条件下で測定した際に測定される色基準物３０の色座標は予め定められている。色基準物３０は、対象物Ｔの色と対象物画像Ｔｇの色との色差を調整する際の基準として用いられる。
【００４８】
ここでは、対象物Ｔは、口紅および口紅容器であり、色基準物３０は、２４色の異なる色見本を示すカラーチャートである。カラーチャートの色見本は、４行６列のマトリスク状に配列されている。ここでは、カラーチャートの色見本のうち、左端第１列の色見本を「Ｃｏｌｏｒ  １」とし、左端第２列の色見本を「Ｃｏｌｏｒ  ２」とし、左端第３列の色見本を「Ｃｏｌｏｒ  ３」とする。
【００４９】
なお、ここでは、カラーチャートの外観は略直方体形状であり、カラーチャートを正面視した形状は略矩形状である。また、色見本は、４行６列のマトリスク状に配列されている。ただし、本実施形態はこれに限定されない。カラーチャートの形、色、配列および色見本の数は、任意の態様であってもよい。例えば、カラーチャートを正面視した形状は略円状であってもよい。あるいは、色見本の数は２４よりも多くても少なくてもよい。
【００５０】
色基準物３０の色見本の色は、対象物Ｔにかかわらず汎用的に定められてもよい。この場合、色見本の色は、色座標の大きく異なる複数の色を含むことが好ましい。典型的には、色見本の色は、赤、緑、青、黒、白、金および／または銀の少なくともいずれかを含むことが好ましい。さらには、色見本の色は、赤、緑、青、黒、白、金、銀、シアン、マゼンタおよび／または黄の少なくともいずれかを含むことが好ましい。
【００５１】
あるいは、色基準物３０の色見本の色は、対象物Ｔに応じて定められてもよい。例えば、色見本の色として、対象物Ｔの色の色座標に近い色が用いられる。この場合、色見本の色として、対象物Ｔの色の色座標に近い複数の色を用いることが好ましい。例えば、色見本の色の色座標と対象物Ｔの色の色座標との差分ΔＬ、Δａ、Δｂは、それぞれ０．５以下であることが好ましい。一例では、対象物Ｔが白のカッターシャツである場合、色見本の色は白色であってもよい。
【００５２】
その後、ステップＳ１１において、データ生成装置１０は画像データＧＤを受信する。画像データＧＤは、対象物Ｔの画像である対象物画像Ｔｇと色基準物３０の画像である色基準物画像３０ｇとを含む画像Ｇを表す。
【００５３】
ステップＳ１２において、画像データＧＤで表される画像Ｇから抽出領域Ｍ内の色基準物画像３０ｇを切り出す。データ生成装置１０は、画像データＧＤに基づいて対象物画像Ｔｇおよび色基準物画像３０ｇを表示した状態で処理してもよい。調整部１４は、画像Ｇのうちの色基準物画像３０ｇに抽出領域Ｍを割り当て、抽出領域Ｍ内の色基準物画像３０ｇを切り出す。
【００５４】
例えば、色基準物３０に含まれる特定の基準色およびその周囲の色配列があらかじめ設定されており、調整部１４は、画像データＧＤで表される画像Ｇから特定の基準色およびその周囲の色配列を調べることにより、画像データＧＤで表される画像Ｇから色基準物画像３０ｇを特定してもよい。これにより、調整部１４は、画像データＧＤの画像Ｇから色基準物画像３０ｇを特定する。例えば、基準色は白である。
【００５５】
なお、ここでは、色基準物画像３０ｇは、画像Ｇに対して正面を向いているが、本実施形態はこれに限定されない。色基準物画像３０ｇは、斜めを向いていてもよく、色基準物画像３０ｇは、反転して配置されていてもよい。
【００５６】
ステップＳ１３において、切り出した色基準物画像３０ｇの色データを取得する。調整部１４は、色基準物画像３０ｇの色データを取得する。色データは、色基準物画像３０ｇの測定によって取得されてもよい。あるいは、色データは、色基準物画像３０ｇを示す画像データを示す色信号に基づいて取得されてもよい。
【００５７】
例えば、色データはＬａｂ色空間表記で示される。ここでは、「Ｃｏｌｏｒ  １」の色データは（Ｌｘ１、ａｘ１、ｂｘ１）であり、「Ｃｏｌｏｒ  ２」の色データは（Ｌｘ２、ａｘ２、ｂｘ２）であり、「Ｃｏｌｏｒ  ３」の色データは（Ｌｘ３、ａｘ３、ｂｘ３）である。
【００５８】
ステップＳ１４において、色基準物３０についての色基準データを読み出す。調整部１４は、記憶部１８から、色基準物についての色基準データを読み出す。例えば、色基準データはＬａｂ色空間表記で示される。
【００５９】
ここでは、「Ｃｏｌｏｒ  １」の色基準データは（Ｌｙ１、ａｙ１、ｂｙ１）であり、「Ｃｏｌｏｒ  ２」の色基準データは（Ｌｙ２、ａｙ２、ｂｙ２）であり、「Ｃｏｌｏｒ  ３」の色基準データは（Ｌｙ３、ａｙ３、ｂｙ３）である。
【００６０】
ステップＳ１５において、調整部１４は、色基準物について取得した色データと色基準データとを比較する。例えば、調整部１４は、色基準物について取得した色データと色基準データＲＤとの差分を取得する。ここでは、「Ｃｏｌｏｒ  １」についての差分は（ΔＬ１、Δａ１、Δｂ１）である。ΔＬ１は、Ｌｘ１とＬｙ１との差分であり、Δａ１は、ａｘ１とａｙ１との差分であり、Δｂ１は、ｂｘ１とｂｙ１との差分である。同様に、「Ｃｏｌｏｒ  ２」についての差分は（ΔＬ２、Δａ２、Δｂ２）であり、「Ｃｏｌｏｒ  ３」についての差分は（ΔＬ３、Δａ３、Δｂ３）である。
【００６１】
なお、調整部１４は、色基準物３０について取得した色データと色基準データＲＤとの比率を取得してもよい。この場合、「Ｃｏｌｏｒ  １」についての比率は（Ｌｘ１／Ｌｙ１、ａｘ１／ａｙ１、ｂｘ１／ｂｙ１）である。同様に、「Ｃｏｌｏｒ  ２」についての比率は（Ｌｘ２／Ｌｙ２、ａｘ２／ａｙ２、ｂｘ２／ｂｙ２）であり、「Ｃｏｌｏｒ  ３」についての比率は（Ｌｘ３／Ｌｙ３、ａｘ３／ａｙ３、ｂｘ３／ｂｙ３）である。
【００６２】
また、調整部１４は、色基準物３０の色基準物画像３０ｇを表す画像データＧＤから取得した色データと色基準データＲＤとに基づいて色基準調整テーブルを作成し、記憶部１８は、色変換テーブルとして色基準調整テーブルを記憶してもよい。色基準調整テーブルにより、色基準物画像３０ｇの色データを色基準データＲＤに調整できる。
【００６３】
ステップＳ１６において、調整部１４は、比較結果に基づいて、画像データＧＤを調整画像データＡＤに変換する。変換処理により、色基準物画像３０ｇは色基準物画像３０ａに変換され、対象物画像Ｔｇは対象物画像Ｔａに変換される。
【００６４】
例えば、調整部１４が、色基準物について取得した色データと色基準データＲＤとの差分を取得した場合、調整部１４は、差分がなくなるように画像データＧＤの色データの値を変更する。あるいは、調整部１４が、色基準物について取得した色データと色基準データＲＤとの比率を取得した場合、調整部１４は、比率が１になるように画像データＧＤの色データの値を変更する。変換は、線形補間によって行われてもよい。あるいは、変換は、多項式補間によって行われてもよい。
【００６５】
調整画像データＡＤは、対象物Ｔの画像を示す対象物画像Ｔａと色基準物３０の画像を示す色基準物画像３０ａとを含む画像Ｇを表す。例えば、調整部１４は、色基準物について取得した色データと色基準データＲＤとの差分に基づいて、画像データＧＤを調整画像データＡＤに変換する。
【００６６】
調整部１４は、色基準物画像３０ｇが色基準物画像３０ａに変化するように画像データＧＤを調整画像データＡＤに変換する。色基準物画像３０ａの色は色基準物３０の色を再現している。調整部１４が、画像データＧＤを調整画像データＡＤに変換すると、対象物画像Ｔｇは対象物画像Ｔａに変化する。この変換により、対象物Ｔの色と対象物画像Ｔａの色との色差を補正できる。
【００６７】
ステップＳ１７において、調整部１４は、調整画像データＡＤから色基準物画像３０ａに対応する部分を削除し、調整画像データＡＤを対象物画像Ｔａに対応させる。その後、通信部１２は、調整画像データＡＤを含む出力信号ＯＳを外部機器に送信する。例えば、通信部１２は、入力信号の送信元である送信機器に出力信号ＯＳを送信する。以上のようにして、調整画像データＡＤを生成する。本実施形態によれば、対象物Ｔの色を高い再現性で表現された対象物画像Ｔａを表示可能な調整画像データＡＤを生成できる。
【００６８】
なお、図２のステップＳ１３〜ステップＳ１７において、差分データは、Ｌａｂで表記したデータから求めたが、本実施形態はこれに限定されない。差分データは、ＲＧＢで表記したデータから求めてもよい。
【００６９】
本実施形態のデータ生成装置１０は調整画像データ生成システムに好適に用いられる。次に、図１〜図３を参照して、本実施形態の調整画像データ生成システム１００を説明する。図３は、調整画像データ生成システム１００の模式図である。
【００７０】
調整画像データ生成システム１００は、データ生成装置１０と、表示装置２０と、色基準物３０とを備える。上述したように、データ生成装置１０は、入力信号ＩＳの画像データＧＤに基づいて調整画像データＡＤを生成する。
【００７１】
表示装置２０は、色基準データＲＤに基づいて色基準物画像３０ａを表示する。表示装置２０は、色基準データＲＤにしたがって色基準物３０の色を再現した色基準物画像３０ａを表示できる。色基準データＲＤは、表示装置２０において、色基準物３０の色を再現した色基準物画像３０ａを表示できるように調整されている。なお、色基準データＲＤは、データ生成装置１０の記憶部１８に記憶されたものと同じであってもよい。
【００７２】
表示装置２０は、モニタ２２と、制御部２４と、記憶部２６と、入力部２８とを備える。制御部２４は、モニタ２２および入力部２８を制御する。
【００７３】
モニタ２２は、画像を表示する。記憶部２６には、色基準データＲＤが記憶されている。色基準データＲＤは、モニタ２２で表示されるときに色基準物３０の色を再現した色基準物画像３０ａを表示できるように調整されたものである。
【００７４】
制御部２４は、記憶部２６に記憶された色基準データＲＤにしたがってモニタ２２が色基準物画像３０ａを表示するようにモニタ２２を制御する。この場合、モニタ２２は、色基準データＲＤにしたがって色基準物画像３０ａを表示する。
【００７５】
入力部２８は、記憶部２６に記憶された色基準データを調整するための情報を入力する。入力部２８は、キーボードを含んでもよい。あるいは、入力部２８は、モニタ２２と一体的に設けられたタッチセンサーを含んでもよい。
【００７６】
ユーザーは、入力部２８を介して、色基準データを調整するための情報を入力できる。記憶部２６は、調整された色基準データＲＤを記憶する。このため、モニタ２２は、色基準データＲＤにしたがって色基準物画像３０ａを表示する。
【００７７】
次に、図１〜図６を参照して、本実施形態の調整画像データ生成システム１００による調整画像データの生成方法を説明する。図４は、表示装置２０における色基準データの調整を説明するための模式図である。
【００７８】
上述したように、表示装置２０は、色基準データＲＤに基づいて色基準物３０の色を再現した色基準物画像３０ａを表示する。色基準データＲＤは、表示装置２０において、色基準物３０の色を再現した色基準物画像３０ａを表示できるように調整される。
【００７９】
まず、撮像装置ＤＤが、色基準物３０を撮像して撮像色データＩＤを生成する。撮像色データＩＤは、色基準物３０を撮像したものであるが、撮像色データＩＤを表示した際に色基準物画像の色は色基準物３０の色とは異なることがある。このため、表示装置２０において撮像色データＩＤを調整する。
【００８０】
入力部２８には、記憶部２６に記憶された撮像色データＩＤを調整するための情報が入力される。ユーザーは、入力部２８を介して、撮像色データＩＤを調整するための情報を入力できる。撮像色データＩＤの調整により、モニタ２２によって表示される色基準物３０の画像の色は色基準物３０を再現できる。記憶部２６は、撮像色データＩＤを調整することによって生成した色基準データＲＤを記憶する。モニタ２２は、色基準データＲＤにしたがって色基準物画像３０ａを表示できる。
【００８１】
次に、図４および図５を参照して、調整画像データ生成システム１００による調整画像データの生成方法を説明する。図５は、調整画像データ生成システム１００による調整画像データの生成方法を説明するためのフロー図である。
【００８２】
ステップＳ２１に示すように、撮像装置ＤＤが対象物Ｔと色基準物３０を撮像して画像データＧＤを生成する。画像データＧＤは、対象物画像Ｔｇと色基準物画像３０ｇを含む画像Ｇを表す。
【００８３】
ステップＳ２２に示すように、データ生成装置１０は、画像データＧＤを含む入力信号を受信し、画像データＧＤに基づいて調整画像データＡＤを生成する。詳細には、データ生成装置１０は、図２を参照して上述したように、画像データＧＤに基づいて調整画像データＡＤを生成する。調整画像データＡＤは、対象物画像Ｔｇの色差の調整された対象物画像Ｔａと、色基準物画像３０ｇの色差の調整された色基準物画像３０ａとを表す。
【００８４】
このようにして、表示装置２０が調整画像データＡＤに従って画像を表示する場合、調整画像データＡＤで表される対象物画像Ｔａの色は、対象物Ｔの色を高精度に再現できる。なお、図５において、調整画像データＡＤで表される対象物画像Ｔａの色が対象物Ｔの色と等しいことが理想であるが、これは、対象物画像Ｔａの色が、対象物Ｔの色と完全に同一になることを意味するものではない。すなわち、対象物画像Ｔａの色と対象物Ｔの色との色差は完全にゼロにならなくてもよい。
【００８５】
図１〜図５を参照して上述した説明では、表示装置２０は色基準物３０の色基準データＲＤの調整に用いられるとともに、表示装置２０が調整画像データＡＤに従って対象物画像Ｔａを表示したが、本実施形態はこれに限定されない。調整画像データＡＤは、表示装置２０とは別の表示装置で表示されてもよい。
【００８６】
図１〜図５を参照して上述したデータ生成装置１０および調整画像データ生成システム１００は、色差調整画像表示システムに好適に用いられる。次に、図６〜図８を参照して、本実施形態の色差調整画像表示システム２００を説明する。図６は、色差調整画像表示システム２００の模式図である。なお、色差調整画像表示システム２００に含まれる調整画像データ生成システム１００については、図３〜図５を参照して上述した調整画像データ生成システム１００と同様であるため、冗長を避けるために重複する説明を省略する。
【００８７】
色差調整画像表示システム２００は、調整画像データ生成システム１００と、表示装置２１０とを備える。ここでは、表示装置２０は、色基準データＲＤに従って色基準物画像３０ａを表示する。これに対して、表示装置２１０は、表示装置２０と同様に色基準物画像３０ａを表示する。
【００８８】
なお、表示装置２１０の色特性は、表示装置２０の色特性とは異なるため、表示装置２１０が、色基準データＲＤに従って表示を行うと、表示装置２１０は、表示装置２０と同様の色基準物画像３０ａを表示できない。このため、色差調整画像表示システム２００では、色変換テーブルＣＳＴを利用する。
【００８９】
記憶部２６は、色変換テーブルＣＳＴを記憶する。色変換テーブルＣＳＴは、表示装置２０と表示装置２１０との間の色信号を変換するために用いられる。色変換テーブルＣＳＴにより、表示装置２０の色信号と表示装置２１０の色信号との変換が可能になる。
【００９０】
例えば、表示装置２０および表示装置２１０が同じデータにしたがって表示した画像の色を測定することによって、色変換テーブルＣＳＴを生成できる。一例では、表示装置２０のモニタ２２が、複数の異なる色信号を含む基準色信号データにしたがって画像を表示し、測色器が、モニタ２２の表示する複数の色の属性を測定する。色の属性は、例えば、色度Ｘ、Ｙおよび明度Ｅｖである。同様に、表示装置２１０が、複数の異なる色信号を含む基準色信号データにしたがって画像を表示し、測色器が、表示装置２１０の表示する複数の色の属性を測定する。なお、表示装置２０によって表示される基準色信号データは、表示装置２１０によって表示される基準色信号データと同じである。
【００９１】
同一の基準色信号データにしたがって表示する場合でも、モニタ２２によって表示される色は表示装置２１０によって表示される色とは異なる。例えば、基準色信号データ色信号が（Ｒ，Ｇ，Ｂ）＝（２５５，０，０）である場合、モニタ２２によって表示される色の明度および色度は（Ｅｖ，Ｘ，Ｙ）＝（１５．０，０．５５，０．３０）であり、表示装置２１０によって表示される色の明度および色度は（Ｅｖ，Ｘ，Ｙ）＝（１５．０，０．６０，０．３０）であるとする。また、基準色信号データのある色信号が（Ｒ，Ｇ，Ｂ）＝（２４０，０，０）である場合、モニタ２２によって表示される色の明度および色度は（Ｅｖ，Ｘ，Ｙ）＝（１５．０，０．５０，０．３０）であり、表示装置２１０によって表示される色の明度および色度は（Ｅｖ，Ｘ，Ｙ）＝（１５．０，０．５５，０．３０）であるとする。
【００９２】
この場合、モニタ２２における色信号は（Ｒ，Ｇ，Ｂ）＝（２５５，０，０）であり、表示装置２１０における色信号は（Ｒ，Ｇ，Ｂ）＝（２４０，０，０）であれば、モニタ２２および表示装置２１０はそれぞれ同じ明度および色度（Ｅｖ，Ｘ，Ｙ）＝（１５．０，０．５５，０．３０）の色を表示できる。したがって、表示装置２０における色信号（Ｒ，Ｇ，Ｂ）＝（２５５，０，０）は表示装置２１０における色信号（Ｒ，Ｇ，Ｂ）＝（２４０，０，０）に相当することになる。この場合、色変換テーブルＣＳＴは、表示装置２０における色信号（Ｒ，Ｇ，Ｂ）＝（２５５，０，０）を表示装置２１０における色信号（Ｒ，Ｇ，Ｂ）＝（２４０，０，０）に変換する旨のテーブルを有する。
【００９３】
同様に、基準色信号データのある色信号が（Ｒ，Ｇ，Ｂ）＝（０，２５５，０）である場合、モニタ２２によって表示される色の明度および色度は（Ｅｖ，Ｘ，Ｙ）＝（２２．０，０．１５，０．６５）であり、表示装置２１０によって表示される色の明度および色度は（Ｅｖ，Ｘ，Ｙ）＝（２２．０，０．１５，０．７０）であるとする。また、基準色信号データの別の色信号が（Ｒ，Ｇ，Ｂ）＝（０，２４０，０）である場合、モニタ２２によって表示される色の明度および色度は（Ｅｖ，Ｘ，Ｙ）＝（２２．０，０．１５，０．６０）であり、表示装置２１０によって表示される色の明度および色度は（Ｅｖ，Ｘ，Ｙ）＝（２２．０，０．１５，０．６５）であるとする。
【００９４】
この場合、モニタ２２における色信号は（Ｒ，Ｇ，Ｂ）＝（０，２５５，０）であり、表示装置２１０における色信号は（Ｒ，Ｇ，Ｂ）＝（０，２４０，０）であれば、モニタ２２および表示装置２１０はそれぞれ同じ明度および色度（Ｅｖ，Ｘ，Ｙ）＝（２２．０，０．１５，０．６５）の色を表示できる。したがって、表示装置２０における色信号（Ｒ，Ｇ，Ｂ）＝（０，２５５，０）は表示装置２１０における色信号（Ｒ，Ｇ，Ｂ）＝（０，２４０，０）に相当することになる。この場合、色変換テーブルＣＳＴは、表示装置２０における色信号（Ｒ，Ｇ，Ｂ）＝（０，２５５，０）を表示装置２１０における色信号（Ｒ，Ｇ，Ｂ）＝（０，２４０，０）に変換する旨のテーブルを有する。
【００９５】
なお、上述の数値は本実施形態の理解を容易にするための例示であり、実際の値ではないことに留意されたい。また、上述の説明では、表示装置２１０におけるある色信号に対応する画像の明度および色度が表示装置２０における別の色信号に対応する画像の明度および色度と等しかったが、本発明はこれに限定されない。表示装置２１０におけるある色信号に対応する画像の明度および色度が表示装置２０における別の色信号に対応する画像の明度および色度と近ければよい。
【００９６】
例えば、表示装置２１０におけるある色信号に対応する画像の色と表示装置２０における別の色信号に対応する色との間の色差ΔＥは６．０以下であることが好ましく、４．５以下であることがさらに好ましく、３．０以下であることがさらに好ましい。あるいは、色差ΔＥは１．５以下であることがさらに好ましい。なお、ΔＥ＝｛（ΔＬ*）2＋（Δａ*）2＋（Δｂ*）2｝1/2で表され、Ｌ*＝１１６×ｆ（Ｙ／Ｙn）−１６、ａ*＝５００×［ｆ（Ｘ／Ｘn）−ｆ（Ｙ／Ｙn）］、ｂ*＝２００×［ｆ（Ｙ／Ｙn）−ｆ（Ｚ／Ｚn）］であり、ｔ＞（６／２９）3のときｆ（ｔ）＝ｔ1/3であり、上記以外のときｆ（ｔ）＝［（２９／３）3×ｔ＋１６］／１１６である。また、Ｘn、Ｙn、ＺnはホワイトポイントのＣＩＥ  ＸＹＺでの三刺激値である。
【００９７】
以上のように、表示装置２０における基準色信号データの色信号に対応する画像の色と表示装置２１０における基準色信号データの色信号に対応する画像の色との比較により、色変換テーブルＣＳＴを生成できる。なお、表示装置２０および表示装置２１０のそれぞれにおける画像データの色信号のすべての色を測定しなくてもよい。測定の対象となる色信号は互いに異なる約１０００色に対応するものであればよい。
【００９８】
表示装置２０は、色基準データＲＤおよび色変換テーブルＣＳＴに基づいて色基準データＲＤＣを生成する。色基準データＲＤＣは、表示装置２１０に適合するように生成される。表示装置２１０は、色基準データＲＤＣにしたがって色基準物３０の色を再現した画像を表示できる。
【００９９】
制御部２４は、色基準データＲＤと色変換テーブルＣＳＴとに基づいて色基準データＲＤＣを生成する。色変換テーブルＣＳＴにより、モニタ２２において色信号によって表される色を表示装置２１０の色信号によって表される色で再現できる。表示装置２１０が、記憶部２６に記憶された色基準データＲＤを色変換テーブルＣＳＴにしたがって色信号を変換して画像を表示すると、表示装置２１０によって表示される画像の色はモニタ２２によって表示される画像の色を再現できる。なお、色変換テーブルＣＳＴは、表示装置２０と表示装置２１０の種類とに固有のものである。このため、表示装置として別の色特性を有する表示装置を対象とする場合、別の色変換テーブルを別途生成する必要がある。
【０１００】
制御部２４は、色基準データＲＤおよび色変換テーブルＣＳＴに基づいて色基準データＲＤＣを生成する。例えば、色基準データＲＤＣは、色基準データＲＤおよび色変換テーブルＣＳＴを含む。一例として、色変換テーブルＣＳＴは、表示装置２１０において、カラープロファイルとして用いられる。色基準データＲＤＣは、色基準データＲＤおよび色変換テーブルＣＳＴを合成することによって生成される。
【０１０１】
表示装置２１０は、表示装置２０によって生成された色基準データＲＤＣを受け取る。表示装置２１０は、色基準データＲＤＣに基づいて色基準物３０の色差を調整した状態で色基準物３０を表示できる。したがって、表示装置２０において生成した色基準データＲＤＣにより、表示装置２１０は、色基準物画像３０ａの色を高い再現性で表示できる。なお、表示装置２０における色変換テーブルＣＳＴは、調整画像データ生成装置１０においても用いられる。
【０１０２】
次に、図７を参照して、本実施形態の色差調整画像表示システム２００における表示装置２０と表示装置２１０との色差の調整を説明する。図７は、本実施形態の色差調整画像表示システム２００における表示装置２０と表示装置２１０との色差の調整を説明するための模式図である。ここでは、表示装置２１０は、第１表示装置２１０Ａ、第２表示装置２１０Ｂおよび第３表示装置２１０Ｃを含む。
【０１０３】
ここでは、表示装置２０は、色基準データＲＤに従って色基準物画像３０ａを表示する。これに対して、第１表示装置２１０Ａ、第２表示装置２１０Ｂおよび第３表示装置２１０Ｃは、表示装置２０と同様に色基準物画像３０ａを表示する。
【０１０４】
なお、第１表示装置２１０Ａ、第２表示装置２１０Ｂおよび第３表示装置２１０Ｃの色特性は、表示装置２０の色特性とは異なるため、第１表示装置２１０Ａ、第２表示装置２１０Ｂおよび第３表示装置２１０Ｃに、表示装置２０と同じ色基準データを送信しても、第１表示装置２１０Ａ、第２表示装置２１０Ｂおよび第３表示装置２１０Ｃは、表示装置２０と同様の色基準物画像３０ａを表示できない。
【０１０５】
このため、表示装置２０は、色基準データＲＤおよび色変換テーブルに基づいて色差調整基準データを生成する。例えば、表示装置２０は、色基準データＲＤと、第１表示装置２１０Ａのための色変換テーブルＣＳＴ１に基づいて第１表示装置２１０Ａのための色差調整基準データＲＤＣ１を生成する。その後、データ生成装置１０は、色差調整基準データＲＤＣ１を含む出力信号を第１表示装置２１０Ａに出力する。第１表示装置２１０Ａは、色差調整基準データＲＤＣ１に基づいて色基準物画像３０ａを表す画像を表示する。
【０１０６】
同様に、表示装置２０は、色基準データＲＤと、第２表示装置２１０Ｂのための色変換テーブルＣＳＴ２に基づいて第２表示装置２１０Ｂのための色差調整基準データＲＤＣ２を生成する。その後、データ生成装置１０は、色差調整基準データＲＤＣ２を含む出力信号を第２表示装置２１０Ｂに出力する。第２表示装置２１０Ｂは、色差調整基準データＲＤＣ２に基づいて色基準物画像３０ａを表す画像を表示する。なお、第３表示装置２１０Ｃについても同様であるため説明を割愛する。
【０１０７】
次に、図８を参照して、色差調整画像表示システム２００による色差調整画像表示方法を説明する。図８は、色差調整画像表示システム２００による色差調整画像表示方法を説明するためのフロー図である。
【０１０８】
まず、ステップＳ３１に示すように、撮像装置ＤＤが対象物Ｔと色基準物３０とを同じ撮像領域内で撮像する。典型的には、対象物Ｔと色基準物３０は、互いが重ならないように対象物Ｔと色基準物３０に並べて撮影される。
【０１０９】
ここでは、撮像装置ＤＤは、対象物Ｔと色基準物３０を撮像して、画像データＧＤを生成する。画像データＧＤは、対象物画像Ｔｇと色基準物画像３０ｇとを含む画像Ｇを表す。なお、画像データＧＤは対象物画像Ｔｇと色基準物画像３０ｇを表すが、対象物画像Ｔｇと色基準物画像３０ｇの色は、対象物Ｔと色基準物３０とは異なる。このため、画像データＧＤをこのまま表示装置で表示したとしても、表示装置２０において画像データＧＤで表される対象物画像Ｔｇおよび色基準物画像３０ｇの色は、対象物Ｔおよび色基準物３０の色とは異なる。
【０１１０】
ステップＳ３２に示すように、データ生成装置１０は、画像データＧＤに基づいて調整画像データＡＤを生成する。なお、表示装置２０が、調整画像データＡＤに従って表示する場合、表示装置２０は、色差の調整された対象物画像Ｔａと色基準物画像３０ａを含む画像を表示する。
【０１１１】
なお、データ生成装置１０は、調整画像データＡＤおよび色変換テーブルに基づいて色差調整画像データを生成する。例えば、データ生成装置１０は、調整画像データＡＤと、第１表示装置２１０Ａのための色変換テーブルＣＳＴ１に基づいて第１表示装置２１０Ａのための色差調整画像データＡＤＣ１を生成する。また、データ生成装置１０は、調整画像データＡＤと、第２表示装置２１０Ｂのための色変換テーブルＣＳＴ２に基づいて第２表示装置２１０Ｂのための色差調整画像データＡＤＣ２を生成する。同様に、データ生成装置１０は、調整画像データＡＤと、第３表示装置２１０Ｃのための色変換テーブルＣＳＴ３に基づいて第３表示装置２１０Ｃのための色差調整画像データＡＤＣ３を生成する。
【０１１２】
ステップＳ３３に示すように、データ生成装置１０は、色差調整画像データＡＤＣ１を含む出力信号を第１表示装置２１０Ａに出力する。第１表示装置２１０Ａは、色差調整画像データＡＤＣ１に基づいて対象物画像Ｔａと色基準物画像３０ａを表す画像Ｇを表示する。
【０１１３】
同様に、データ生成装置１０は、色差調整画像データＡＤＣ２を含む出力信号を第２表示装置２１０Ｂに出力する。第２表示装置２１０Ｂは、色差調整画像データＡＤＣ２に基づいて対象物画像Ｔａと色基準物画像３０ａを表す画像Ｇを表示する。なお、第３表示装置２１０Ｃについても同様であるため説明を割愛する。
【０１１４】
なお、図８のステップＳ３３には、説明の便宜上、第１表示装置２１０Ａ、第２表示装置２１０Ｂおよび第３表示装置２１０Ｃは、対象物画像Ｔａだけでなく色基準物画像３０ａを表示しているが、本実施形態はこれに限定されない。典型的には、色差調整画像データから色基準物画像３０ａが削除され、第１表示装置２１０Ａ、第２表示装置２１０Ｂおよび第３表示装置２１０Ｃは、対象物画像Ｔａを表示することが好ましい。この場合、色基準物画像３０ａは、データ生成装置１０において調整画像データＡＤから削除されてもよい。あるいは、色基準物画像３０ａは、第１表示装置２１０Ａ、第２表示装置２１０Ｂおよび第３表示装置２１０Ｃにおいて色差調整画像データＡＤＣ１、ＡＤＣ２、ＡＤＣ３から削除されてもよい。
【０１１５】
また、図８を参照した上述の説明では、データ生成装置１０は、画像データＧＤから調整画像データＡＤを生成するとともに、調整画像データＡＤから色差調整画像データＡＤＣ１、ＡＤＣ２、ＡＤＣ３を生成したが、本実施形態はこれに限定されない。調整画像データＡＤから色差調整画像データＡＤＣ１、ＡＤＣ２、ＡＤＣ３の生成は、データ生成装置１０とは異なる装置で行われてもよい。
【０１１６】
また、図８を参照した上述の説明では、データ生成装置１０の記憶部１８には、第１表示装置２１０Ａ〜第３表示装置２１０Ｃに対応する色変換テーブルＣＳＴ１〜ＣＳＴ３が記憶されており、データ生成装置１０は、調整画像データＡＤと色変換テーブルＣＳＴ１〜ＣＳＴ３と基づいて、色差調整画像データＡＤＣ１〜ＡＤＣ３を生成したが、本実施形態はこれに限定されない。色変換テーブルＣＳＴは、表示装置に応じて異ならない汎用テーブルであってもよい。この場合、データ生成装置１０は、調整画像データＡＤと汎用色変換テーブルと基づいて、色差調整画像データを生成して、種々の表示装置に色差調整画像データを送信してもよい。
【０１１７】
なお、図２〜図８を参照した上述の説明では、色基準物としてカラーチャートが用いられたが、本実施形態はこれに限定されない。色基準物は、可変表示可能な表示装置であってもよい。例えば、色基準物として、色変換テーブルを用いて色差を補正可能な図６〜図８に示した表示装置２１０、第１表示装置２１０Ａ、第２表示装置２１０Ｂおよび／または第３表示装置２１０Ｃを用いてもよい。この場合、色変換テーブルを適時更新することにより、より高精度な色基準物を作成できる。さらに、対象物Ｔに応じて色変換テーブルを変更することにより、対象物Ｔの色に適した色の再現性を向上できる。
【０１１８】
なお、図３を参照して説明したように、データ生成装置１０は、モニタ２２とともに調整画像データ生成システム１００において用いられてもよい。ただし、図３では、モニタ２２は、色基準物画像３０ａを表示したが、本実施形態はこれに限定されない。
【０１１９】
ユーザーは、データ生成装置１０において画像データＧＤおよび／または調整画像データＡＤに基づく画像Ｇをモニタ２２に表示しながら調整処理を詳細に設定してもよい。例えば、モニタ２２は、画像を調整する前の画像データＧＤに基づく対象物画像Ｔｇおよび色基準物画像３０ｇを表示する。あるいは、モニタ２２は、画像を調整した後の調整画像データＡＤに基づく対象物画像Ｔａおよび／または色基準物画像３０ａを表示してもよい。
【０１２０】
ユーザーは、入力部２８を介してモニタ２２に表示される画像を切り替えてもよい。一例では、モニタ２２が、画像データＧＤに基づく対象物画像Ｔｇおよび色基準物画像３０ｇを表示する場合、ユーザーが、入力部２８を介して画像の切り替えを指示することにより、モニタ２２は、調整画像データＡＤに基づく対象物画像Ｔａおよび色基準物画像３０ａを表示してもよい。さらに、データ生成装置１０において、調整する画像の対象および／または範囲は変更および／または指定されてもよい。
【０１２１】
なお、図１〜図８を参照した上述の説明では、画像データＧＤで表される画像Ｇ全体を調整したが、本実施形態はこれに限定されない。画像データＧＤで表される画像Ｇの一部を調整してもよい。
【０１２２】
次に、図１〜図９を参照して、本実施形態のデータ生成装置１０による調整画像データ生成方法を説明する。図９は、本実施形態のデータ生成装置１０による調整画像データ生成方法を説明するためのフロー図である。なお、図９のステップＳ４０、Ｓ４１、Ｓ４３は、画像データＧＤが対象物Ｔおよび色基準物３０とその近傍を光源Ｌで照射された環境下で対象物Ｔおよび色基準物３０を撮像することによって生成されたものである点を除き、図２のステップＳ１０〜Ｓ１２と同様であり、冗長を避けるために重複する記載を省略する。
【０１２３】
図９のステップＳ４１においてデータ生成装置１０の通信部１２が画像データＧＤを含む入力信号ＩＳを受信するのに先立ち、ステップＳ４０において画像データＧＤを生成する。画像データＧＤは、対象物Ｔと色基準物３０とを撮像装置で撮像することで生成される。ここでは、対象物Ｔと色基準物３０とは、光源Ｌから光が照射された環境下で撮像される。光源Ｌは、指向性の比較的高い光を出射する。このため、光源Ｌの光が照射される領域の明るさは、光源Ｌの光が照射されない領域の明るさとは大きく異なる。対象物Ｔと色基準物３０には、光源Ｌから光が照射される。
【０１２４】
画像データＧＤは、対象物Ｔの画像を示す対象物画像Ｔｇと色基準物３０の画像を示す色基準物画像３０ｇとを含む画像Ｇを表す。ここでは、対象物Ｔは、口紅および口紅容器であり、色基準物３０は、２４色の異なる色見本を示すカラーチャートである。カラーチャートの色見本は、４行６列のマトリスク状に配列されている。
【０１２５】
その後、ステップＳ４１において、データ生成装置１０は画像データＧＤを受信する。画像データＧＤは、対象物Ｔの画像である対象物画像Ｔｇと色基準物３０の画像である色基準物画像３０ｇとを含む画像Ｇを表す。
【０１２６】
その後、ステップＳ４２において、調整対象範囲ＣＲを指定する。例えば、調整対象範囲ＣＲは、光源Ｌの照射された領域に対応して指定される。このため、対象物画像Ｔｇおよび色基準物画像３０ｇは、画像Ｇ内の調整対象範囲ＣＲに含まれる。
【０１２７】
ユーザーは、入力部２８を介して、画像Ｇの調整対象範囲ＣＲを指定できる。あるいは、調整対象範囲ＣＲを指定する情報が、あらかじめ記憶部１８に記憶されており、必要に応じて、記憶部１８から読み出されてもよい。
【０１２８】
ステップＳ４３において、調整対象範囲ＣＲから抽出領域Ｍ内の色基準物画像３０ｇを切り出す。データ生成装置１０は、画像データＧＤに基づいて対象物画像Ｔｇおよび色基準物画像３０ｇを表示した状態で処理してもよい。調整部１４は、画像Ｇのうちの色基準物画像３０ｇに抽出領域Ｍを割り当て、抽出領域Ｍ内の色基準物画像３０ｇを切り出す。
【０１２９】
その後、切り出した色基準物画像３０ｇの色データを取得する。調整部１４は、色基準物画像３０ｇの色データを取得する。色データは、色基準物画像３０ｇの測定によって取得されてもよい。あるいは、色データは、色基準物画像３０ｇを示す画像データを示す色信号に基づいて取得されてもよい。また、調整部１４は、記憶部１８から、色基準物３０についての色基準データＲＤを読み出す。
【０１３０】
調整部１４は、色基準物３０について取得した色データと色基準データとを比較する。例えば、調整部１４は、色基準物３０について取得した色データと色基準データＲＤとの差分を取得する。なお、調整部１４は、色基準物３０について取得した色データと色基準データＲＤとの比率を取得してもよい。また、調整部１４は、色基準物３０について取得した色データと色基準データＲＤとに基づいて色基準調整テーブルを作成し、記憶部１８は、色基準調整テーブルを記憶してもよい。
【０１３１】
ステップＳ４４において、画像データＧＤを調整画像データＡＤに変換する。調整部１４は、上述したように、画像データＧＤを調整画像データＡＤに変換する。変換処理により、調整対象範囲ＣＲ内の色基準物画像３０ｇは色基準物画像３０ａに変換され、対象物画像Ｔｇは対象物画像Ｔａに変換される。
【０１３２】
変換処理により、画像Ｇ内のうちの調整対象範囲ＣＲ内の領域の色は変換される。このため、色基準物画像３０ｇは色基準物画像３０ａに変換され、対象物画像Ｔｇは対象物画像Ｔａに変換される。一方で、変換処理の後でも、調整対象範囲ＣＲの外部は変換されないままである。
【０１３３】
その後、ステップＳ４５において、調整部１４は、調整画像データＡＤから色基準物画像３０ａに対応する部分を削除し、調整画像データＡＤを対象物画像Ｔａに対応させる。その後、通信部１２は、調整画像データＡＤを含む出力信号ＯＳを外部機器に送信する。例えば、通信部１２は、入力信号の送信元である送信機器に出力信号ＯＳを送信する。以上のようにして、調整画像データＡＤを生成する。本実施形態によれば、対象物Ｔの色を高い再現性で表現された対象物画像Ｔａを表示可能な調整画像データＡＤを生成できる。
【０１３４】
さらに、本実施形態では、比較的高強度の光源Ｌの光が照射された領域内の画像の色を選択的に調整する。これにより、色基準物３０の存在する環境とは異なる環境に位置した画像に対して、色基準物画像３０ｇと同様の調整を行わないため、不要な演算を回避できる。
【０１３５】
なお、対象物画像Ｔｇを含む画像Ｇ内の特定の範囲の色を選択的に調整する場合、画像のうち色の調整される領域と色の調整されない領域との境界が不自然になることがある。この場合、境界部分をぼかすように色を調整することが好ましい。
【０１３６】
次に、図１〜図１０を参照して、本実施形態のデータ生成装置１０による調整画像データ生成方法を説明する。図１０は、本実施形態のデータ生成装置１０による調整画像データ生成方法を説明するためのフロー図である。なお、図１０のステップＳ５０〜Ｓ５５は、光源の種類およびステップＳ５４における画像の調整が異なる点を除き、図９のステップＳ４０〜Ｓ４５と同様であり、冗長を避けるために重複する記載を省略する。
【０１３７】
図１０のステップＳ５１においてデータ生成装置１０の通信部１２が画像データＧＤを含む入力信号ＩＳを受信するのに先立ち、ステップＳ５０において画像データＧＤを生成する。画像データＧＤは、対象物Ｔと色基準物３０とを撮像装置で撮像することで生成される。ここでは、対象物Ｔと色基準物３０とは、光源Ｌａから光が照射された環境下で撮像される。光源Ｌａは、指向性の比較的低い光を出射する。このため、光源Ｌａの光が照射される領域の明るさは、光源Ｌａの光が照射されない領域の明るさとはわずかに異なる。対象物Ｔと色基準物３０には、光源Ｌａから光が照射される。
【０１３８】
その後、ステップＳ５１において、データ生成装置１０は画像データＧＤを受信する。画像データＧＤは、対象物Ｔの画像である対象物画像Ｔｇと色基準物３０の画像である色基準物画像３０ｇとを含む画像Ｇを表す。
【０１３９】
その後、ステップＳ５２において、調整対象範囲ＣＲを指定する。例えば、調整対象範囲ＣＲは、光源Ｌａの照射された領域に対応して指定される。このため、対象物画像Ｔｇおよび色基準物画像３０ｇは、画像Ｇ内の調整対象範囲ＣＲに含まれる。
【０１４０】
ユーザーは、入力部２８を介して、画像Ｇの調整対象範囲ＣＲを指定できる。あるいは、調整対象範囲ＣＲは、あらかじめ記憶部１８に記憶されており、必要に応じて、記憶部１８から読み出されてもよい。
【０１４１】
ステップＳ５３において、調整対象範囲ＣＲから抽出領域Ｍ内の色基準物画像３０ｇを切り出す。データ生成装置１０は、画像データＧＤに基づいて対象物画像Ｔｇおよび色基準物画像３０ｇを表示した状態で処理してもよい。調整部１４は、画像Ｇのうちの色基準物画像３０ｇに抽出領域Ｍを割り当て、抽出領域Ｍ内の色基準物画像３０ｇを切り出す。
【０１４２】
その後、切り出した色基準物画像３０ｇの色データを取得する。調整部１４は、色基準物画像３０ｇの色データを取得する。色データは、色基準物画像３０ｇの測定によって取得されてもよい。あるいは、色データは、色基準物画像３０ｇを示す画像データを示す色信号に基づいて取得されてもよい。また、調整部１４は、記憶部１８から、色基準物３０についての色基準データＲＤを読み出す。
【０１４３】
調整部１４は、色基準物３０について取得した色データと色基準データとを比較する。例えば、調整部１４は、色基準物３０について取得した色データと色基準データＲＤとの差分を取得する。なお、調整部１４は、色基準物３０について取得した色データと色基準データＲＤとの比率を取得してもよい。また、調整部１４は、色基準物３０について取得した色データと色基準データＲＤとに基づいて色基準調整テーブルを作成し、記憶部１８は、色基準調整テーブルを記憶してもよい。
【０１４４】
ステップＳ５４において、画像データＧＤを調整画像データＡＤに変換する。調整部１４は、上述したように、画像データＧＤを調整画像データＡＤに変換する。変換処理により、調整対象範囲ＣＲ内の色基準物画像３０ｇは色基準物画像３０ａに変換され、対象物画像Ｔｇは対象物画像Ｔａに変換される。
【０１４５】
ここでは、調整部１４は、画像Ｇ内の調整対象範囲ＣＲの内側および外側の境界が認識されないように調整画像データＡＤを調整する。例えば、調整部１４は、調整対象範囲ＣＲのうちの色基準物画像３０ｇおよび対象物画像Ｔｇの背景にある背景画像を特定し、背景画像の色が調整対象範囲ＣＲの内側から外側に向かって段階的に変化するように調整画像データＡＤを調整する。
【０１４６】
その後、ステップＳ５５において、調整部１４は、調整画像データＡＤから色基準物画像３０ａに対応する部分を削除し、調整画像データＡＤを対象物画像Ｔａに対応させる。その後、通信部１２は、調整画像データＡＤを含む出力信号ＯＳを外部機器に送信する。例えば、通信部１２は、入力信号の送信元である送信機器に出力信号ＯＳを送信する。以上のようにして、調整画像データＡＤを生成する。本実施形態によれば、対象物Ｔの色を高い再現性で表現された対象物画像Ｔａを表示可能な調整画像データＡＤを生成できる。また、本実施形態によれば、対象物画像Ｔａを含む画像Ｇに光源Ｌａの照射された領域と照射されない領域の両方が含まれる場合でも、画像Ｇのうちの対象物画像Ｔａ以外の背景画像を自然に表示できる。
【０１４７】
なお、図９および図１０を参照した説明では、画像Ｇ内の調整対象範囲ＣＲが指定された後でも、画像Ｇ内の調整対象範囲ＣＲの外部は残ったままであったが、本実施形態はこれに限定されない。画像Ｇ内に調整対象範囲ＣＲが指定された結果、画像Ｇ内の調整対象範囲ＣＲの外部の画像が削除されるように画像データＧＤは処理されてもよい。
【０１４８】
また、図１〜図１０を参照して上述した説明では、色基準物画像３０ｇおよび対象物画像Ｔｇを表す画像データＧＤから調整画像データＡＤを生成したが、本実施形態はこれに限定されない。画像データは、色基準物画像を表すことなく対象物画像を表してもよい。この場合、色基準物画像を示す画像データの色データと色基準データとに基づいて作成された色基準調整テーブルに基づいて、対象物画像を表す画像データを調整した調整画像データを生成してもよい。
【０１４９】
色基準調整テーブルは、色基準物画像を示す画像データと色基準データとに基づいて作成される。この場合、一旦、所定の環境下において、色基準調整テーブルを作成すると、同様の環境下であれば、同じ色基準調整テーブルを用いることにより、色基準物が撮像されていなくても対象物画像を調整できる。
【０１５０】
次に、図１〜図１１を参照して、本実施形態のデータ生成装置１０による調整画像データ生成方法を説明する。図１１は、本実施形態のデータ生成装置１０による調整画像データ生成方法を説明するためのフロー図である。図１１のステップＳ６０〜Ｓ６４は、図２を参照して上述したステップＳ１０〜Ｓ１２、Ｓ１６、Ｓ１７と同様である。このため、冗長を避けるために重複する記載を省略する。なお、色基準物画像３０ｇから色基準物画像３０ａへの変換は、色基準調整テーブルにしたがって行われる。本実施形態では、データ生成装置１０は、色基準調整テーブルを生成し、色基準調整テーブルを記憶部１８に記憶する。色基準調整テーブルは、別の対象物画像の調整にも適用できる。
【０１５１】
図１１のステップＳ６１においてデータ生成装置１０の通信部１２が画像データＧＤを含む入力信号ＩＳを受信するのに先立ち、ステップＳ６０において画像データＧＤを生成する。画像データＧＤは、対象物Ｔと色基準物３０とを撮像装置で撮像することで生成される。
【０１５２】
図１１のステップＳ６１において、データ生成装置１０は画像データＧＤを受信する。画像データＧＤは、対象物Ｔの画像である対象物画像Ｔｇと色基準物３０の画像である色基準物画像３０ｇとを含む画像Ｇを表す。
【０１５３】
その後、ステップＳ６２において、画像Ｇから抽出領域Ｍ内の色基準物画像３０ｇを切り出す。データ生成装置１０は、画像データＧＤに基づいて対象物画像Ｔｇおよび色基準物画像３０ｇを表示した状態で処理してもよい。調整部１４は、画像Ｇのうちの色基準物画像３０ｇに抽出領域Ｍを割り当て、抽出領域Ｍ内の色基準物画像３０ｇを切り出す。
【０１５４】
その後、切り出した色基準物画像３０ｇの色データを取得する。調整部１４は、色基準物画像３０ｇの色データを取得する。色データは、色基準物画像３０ｇの測定によって取得されてもよい。あるいは、色データは、色基準物画像３０ｇを示す画像データを示す色信号に基づいて取得されてもよい。また、調整部１４は、記憶部１８から、色基準物３０についての色基準データＲＤを読み出す。
【０１５５】
調整部１４は、色基準物３０について取得した色データと色基準データとを比較する。例えば、調整部１４は、色基準物３０について取得した色データと色基準データＲＤとの差分を取得する。なお、調整部１４は、色基準物３０について取得した色データと色基準データＲＤとの比率を取得してもよい。また、調整部１４は、色基準物３０について取得した色データと色基準データＲＤとに基づいて色基準調整テーブルを作成し、記憶部１８は、色基準調整テーブルを記憶してもよい。
【０１５６】
ステップＳ６３において、画像データＧＤを調整画像データＡＤに変換する。調整部１４は、上述したように、画像データＧＤを調整画像データＡＤに変換する。変換処理により、色基準物画像３０ｇは色基準物画像３０ａに変換され、対象物画像Ｔｇは対象物画像Ｔａに変換される。
【０１５７】
その後、ステップＳ６４において、調整部１４は、調整画像データＡＤから色基準物画像３０ａに対応する部分を削除し、調整画像データＡＤを対象物画像Ｔａに対応させる。
【０１５８】
また、ステップＳ７０において画像データＧＤｘを生成する。画像データＧＤｘは、対象物Ｔｘを撮像装置で撮像することで生成される。なお、対象物Ｔｘは、色基準物３０および対象物Ｔと同様の環境下において撮像されることが好ましい。画像データＧＤｘは、対象物Ｔｘの画像を示す対象物画像Ｔｘｇを示す画像Ｇｘを表す。ここでは、対象物Ｔｘは、靴である。なお、本明細書において、対象物Ｔｘを追加対象物と記載することがある。
【０１５９】
その後、ステップＳ７１において、データ生成装置１０は画像データＧＤｘを受信する。画像データＧＤｘは、対象物Ｔｘの画像である対象物画像Ｔｘｇを含む画像Ｇｘを表す。
【０１６０】
ステップＳ７２において、調整部１４は、色基準調整テーブルに従って画像データＧＤｘを調整画像データＡＤｘに変換する。調整部１４が、画像データＧＤｘを調整画像データＡＤｘに変換すると、対象物画像Ｔｘｇは対象物画像Ｔｘａに変化する。この変換により、対象物Ｔｘの色と対象物画像Ｔｘａの色との色差を補正できる。
【０１６１】
以上のようにして、調整画像データＡＤおよび調整画像データＡＤｘを生成する。本実施形態では、色基準物画像３０ｇを用いて先に取得した色基準調整テーブルを利用して、対象物画像Ｔｘｇを対象物画像Ｔｘａに調整する。このため、追加対象物となる対象物Ｔｘは色基準物３０とともに撮像しなくても、対象物画像Ｔｘｇを表す画像データＧＤｘを調整画像データＡＤｘに調整できる。これにより、より少ない労力で対象物画像の色を高い再現性で表現できる。
【０１６２】
なお、色基準調整テーブルを適用する画像データは、同様の環境下で撮像されて生成されたものであることが好ましい。これにより、適切な色基準調整テーブルを利用して、調整画像データを生成できる。
【０１６３】
図１１を参照して上述したように、色基準調整テーブルを利用することにより、画像データが色基準物画像を表さなくても、対象物画像を表す画像データから対象物画像を調整した調整画像データを生成できる。この場合、複数の画像データから、調整画像データを生成すべき画像データを選択できることが好ましい。
【０１６４】
次に、図１〜図１２を参照して、複数の画像データから対応する調整画像データを選択的に生成する態様を説明する。図１２（ａ）は、調整前の複数の画像を表示したモニタ２２の模式図であり、図１２（ｂ）は、調整された複数の画像を表示したモニタ２２の模式図である。
【０１６５】
図１２（ａ）に示すように、モニタ２２は、画像データＧＤａ〜ＧＤｉにそれぞれ基づく複数の画像Ｇａ〜Ｇｉを表示する。画像Ｇａは、対象物画像Ｔｇａおよび色基準物画像３０ｇを含む。画像Ｇｂは、対象物画像Ｔｇｂを含む。同様に、画像Ｇｃ〜Ｇｉは、対象物画像Ｔｇｃ〜Ｔｇｉを含む。ここでは、画像Ｇａは、色基準物画像３０ｇを含む一方で、画像Ｇｂ〜Ｇｉは、色基準物画像３０ｇを含まない。
【０１６６】
また、モニタ２２は、画像Ｇａ〜Ｇｉに対応してチェックボックスＣＢを表示する。チェックボックスＣＢは、ユーザーが画像Ｇａ〜Ｇｉの調整を希望するか否かを示す。ユーザーは、画像Ｇａ〜Ｇｉの色の調整を希望する場合、入力部２８を介して画像Ｇａ〜Ｇｉのうちの対応する画像のチェックボックスＣＢにチェックを付す。
【０１６７】
ここでは、画像Ｇ１〜Ｇ９に対応するすべてのチェックボックスＣＢにチェックが付されている。このため、調整部１４は、画像Ｇａ〜Ｇｉに対応する画像データＧＤａ〜ＧＤｉに基づいて、対象物画像Ｔｇａ〜Ｔｇｉを対象物画像Ｔａａ〜Ｔａｉに調整した調整画像データＡＤａ〜ＡＤｉを生成する。
【０１６８】
図１２（ｂ）に示すように、モニタ２２は、調整画像データＡＤａ〜ＡＤｉに基づく複数の画像Ｇａ〜Ｇｉを表示する。画像Ｇａは、対象物画像Ｔａａおよび色基準物画像３０ａを含む。画像Ｇｂは、対象物画像Ｔａｂを含む。同様に、画像Ｇｃ〜Ｇｉは、対象物画像Ｔａｃ〜Ｔａｉを含む。ここでは、画像Ｇａは、色基準物画像３０ａを含む一方で、画像Ｇｂ〜Ｇｉは、色基準物画像３０ａを含まない。このように、画像Ｇｂ〜Ｇｉが色基準物画像３０ｇを含まなくても、対象物画像Ｔｇｂ〜Ｔｇｉを対象物画像Ｔａｂ〜Ｔａｉに調整できる。
【０１６９】
本実施形態によれば、調整前の画像Ｇａ〜Ｇｉに対応するすべてのチェックボックスＣＢにチェックが付されていることから、画像Ｇａ〜Ｇｉの対象物画像Ｔｇａ〜Ｔｇｉは、対象物画像Ｔａａ〜Ｔａｉに調整されたが、チェックボックスＣＢが選択的にチェックされることにより、対象物画像Ｔｇａ〜Ｔｇｉの選択されたいずれかが対象物画像Ｔａａ〜Ｔａｉのいずれかに調整されてもよい。
【０１７０】
なお、図１１を参照した上述の説明では、ステップＳ６０〜Ｓ６４およびステップＳ７０〜Ｓ７２を一連の動作として説明したが、本実施形態はこれに限定されない。ステップＳ６０〜Ｓ６４とステップＳ７０〜Ｓ７２とは、別々に行われてもよい。例えば、ステップＳ７０〜Ｓ７２は、ステップＳ６０〜Ｓ６４とは異なる日に行われてもよい。ただし、ステップＳ６０の撮像と、ステップＳ７０における撮像とはほぼ同一の環境下で行われることが好ましい。同様に、図１２を参照した画像データＧＤａ〜ＧＤｉを生成するための撮像もほぼ同一の環境下で行われることが好ましい
【０１７１】
なお、図１〜図１２を参照した上述の説明では、色基準物３０は対象物Ｔとともに撮像されて色基準物画像３０ｇおよび対象物画像Ｔｇを表す画像データＧＤを調整して調整画像データＡＤを生成したが、本実施形態はこれに限定されない。色基準物３０を単独で撮像して調整した後、対象物画像を表す画像データを調整した調整画像データＡＤを生成してもよい。
【０１７２】
次に、図１〜図１３を参照して、本実施形態のデータ生成装置１０による調整画像データ生成方法を説明する。図１３は、本実施形態のデータ生成装置１０による調整画像データ生成方法を説明するためのフロー図である。
【０１７３】
図１３のステップＳ８０〜Ｓ８３は、色基準物３０が単体で撮像された点を除いて、図１１を参照して上述したステップＳ６０〜Ｓ６３と同様である。このため、冗長を避けるために重複する記載を省略する。なお、色基準物画像３０ｇから色基準物画像３０ａへの変換は、色基準調整テーブルにしたがって行われる。本実施形態では、データ生成装置１０は、色基準調整テーブルを生成し、色基準調整テーブルを記憶部１８に記憶する。色基準調整テーブルは、色基準物３０とは別途用意された対象物画像に対する色の調整に適用される。
【０１７４】
図１３のステップＳ８１においてデータ生成装置１０の通信部１２が画像データＧＤを含む入力信号ＩＳを受信するのに先立ち、ステップＳ８０において画像データＧＤを生成する。画像データＧＤは、色基準物３０を撮像装置で撮像することで生成される。
【０１７５】
その後、ステップＳ８１において、データ生成装置１０は画像データＧＤを受信する。画像データＧＤは、色基準物３０の画像である色基準物画像３０ｇを含む画像Ｇを表す。
【０１７６】
その後、ステップＳ８２において、画像Ｇから抽出領域Ｍ内の色基準物画像３０ｇを切り出す。データ生成装置１０は、画像データＧＤに基づいて色基準物画像３０ｇを表示した状態で処理してもよい。調整部１４は、画像Ｇのうちの色基準物画像３０ｇに抽出領域Ｍを割り当て、抽出領域Ｍ内の色基準物画像３０ｇを切り出す。
【０１７７】
その後、切り出した色基準物画像３０ｇの色データを取得する。調整部１４は、色基準物画像３０ｇの色データを取得する。色データは、色基準物画像３０ｇの測定によって取得されてもよい。あるいは、色データは、色基準物画像３０ｇを示す画像データを示す色信号に基づいて取得されてもよい。また、調整部１４は、記憶部１８から、色基準物３０についての色基準データＲＤを読み出す。
【０１７８】
調整部１４は、色基準物３０について取得した色データと色基準データとを比較する。例えば、調整部１４は、色基準物３０について取得した色データと色基準データＲＤとの差分を取得する。なお、調整部１４は、色基準物３０について取得した色データと色基準データＲＤとの比率を取得してもよい。また、調整部１４は、色基準物３０について取得した色データと色基準データＲＤとに基づいて色基準調整テーブルを作成し、記憶部１８は、色基準調整テーブルを記憶してもよい。
【０１７９】
ステップＳ８３において、画像データＧＤを調整画像データＡＤに変換する。調整部１４は、上述したように、画像データＧＤを調整画像データＡＤに変換する。変換処理により、画像Ｇ内の色基準物画像３０ｇは色基準物画像３０ａに変換される。
【０１８０】
ステップＳ９０において画像データＧＤｘを生成する。画像データＧＤｘは、対象物Ｔｘを撮像装置で撮像することで生成される。なお、対象物Ｔｘは、色基準物３０と同様の環境下において撮像されることが好ましい。画像データＧＤｘは、対象物Ｔｘの画像を示す対象物画像Ｔｘｇを示す画像Ｇｘを表す。ここでは、対象物Ｔｘは口紅である。
【０１８１】
その後、ステップＳ９１において、データ生成装置１０は画像データＧＤｘを受信する。画像データＧＤｘは、対象物Ｔｘの画像である対象物画像Ｔｘｇを含む画像Ｇｘを表す。
【０１８２】
ステップＳ９２において、調整部１４は、色基準調整テーブルに従って画像データＧＤｘを調整画像データＡＤｘに変換する。調整部１４が、画像データＧＤｘを調整画像データＡＤｘに変換すると、対象物画像Ｔｘｇは対象物画像Ｔｘａに変化する。この変換により、対象物Ｔｘの色と対象物画像Ｔｘａの色との色差を補正できる。
【０１８３】
以上のようにして、調整画像データＡＤおよび調整画像データＡＤｘを生成する。本実施形態では、色基準物画像３０ｇを用いて先に取得した色基準調整テーブルを利用して、対象物画像Ｔｘｇを対象物画像Ｔｘａに調整する。このため、対象物Ｔｘおよび色基準物３０を同時に撮像しなくても、対象物画像Ｔｘｇを表す画像データＧＤｘを調整画像データＡＤｘに調整できる。これにより、より少ない労力で対象物画像の色を高い再現性で表現できる。
【０１８４】
上述したように、調整画像データ生成装置１０は、色基準調整テーブルを記憶することが好ましい。例えば、調整画像データ生成装置１０は、撮像環境に応じて色基準調整テーブルを記憶することが好ましい。
【０１８５】
次に、図１〜図１４を参照して、本実施形態のデータ生成装置１０による調整画像データ生成方法を説明する。図１４は、本実施形態のデータ生成装置１０の模式図である。ここでは、データ生成装置１０は、異なるユーザーから画像データを受信し、それぞれのユーザーに調整画像データを送信する。
【０１８６】
ここでは、データ生成装置１０は、スタジオＡ、スタジオＢおよびスタジオＣからの画像データを調整して調整画像データを生成し、調整画像データをそれぞれ出力する。なお、スタジオＡ、スタジオＢおよびスタジオＣの撮像環境は互いに異なるが、各スタジオＡ、スタジオＢおよびスタジオＣの撮像環境は一律に決められている。
【０１８７】
また、記憶部１８は、色基準調整テーブルＡ、Ｂ、Ｃを含む。例えば、色基準調整テーブルＡは、スタジオＡの撮像環境下で撮像された画像データに適した画像の調整を行うためのテーブルである。典型的には、色基準調整テーブルＡは、スタジオＡにおいて色基準物を撮像した色基準物画像に基づいて生成される。同様に、色基準調整テーブルＢは、スタジオＢの撮像環境下で撮像された画像データに適した画像の調整を行うためのテーブルであり、色基準調整テーブルＣは、スタジオＣの撮像環境下で撮像された画像データに適した画像の調整を行うためのテーブルである。
【０１８８】
データ生成装置１０は、スタジオＡから画像データＧＤ１を含む入力信号を受信すると、色基準調整テーブルＡに基づいて画像データＧＤ１を調整した調整画像データＡＤ１を生成し、スタジオＡに調整画像データＡＤ１を含む出力信号を送信する。また、データ生成装置１０は、スタジオＢから画像データＧＤ２を含む入力信号を受信すると、色基準調整テーブルＢに基づいて画像データＧＤ２を調整した調整画像データＡＤ２を生成し、スタジオＢに調整画像データＡＤ２を含む出力信号を送信する。同様に、データ生成装置１０は、スタジオＣから画像データＧＤ３を含む入力信号を受信すると、色基準調整テーブルＣに基づいて画像データＧＤ３を調整した調整画像データＡＤ３を生成し、スタジオＣに調整画像データＡＤ３を含む出力信号を送信する。
【０１８９】
以上のように、画像データＧＤの生成された撮像環境に応じて色基準調整テーブルを使い分けることにより、撮像環境に応じた調整画像データを生成できる。
【０１９０】
なお、本実施形態の調整画像データ生成装置１０は、ＡＰＩ（Ａｐｐｌｉｃａｔｉｏｎ  Ｐｒｏｇｒａｍｍｉｎｇ  Ｉｎｔｅｒｆａｃｅ）連携で動作することが好ましい。例えば、調整画像データ生成装置１０は、他のプログラムと連携して動作してもよい。典型的には、調整画像データ生成装置１０を具現化する調整画像データ生成プログラムは、他のプログラムと連携して動作してもよい。本明細書において、調整画像データ生成プログラムと連携するプログラムを連携先プログラムと記載することがある。
【０１９１】
一例として、本実施形態の調整画像データ生成プログラムは、連携先プログラムによって呼び出され、調整画像データ生成プログラムによって生成された調整画像データＡＤに基づく対象物画像Ｔａは、連携先プログラムにしたがって表示される表示画面の一部の画像として表示されてもよい。連携先プログラムにより、本実施形態の調整画像データ生成プログラムに対して、対象物画像を表す調整画像データの送信が要求され、本実施形態の調整画像データ生成プログラムは、この要求に応じて調整画像データを送信してもよい。
【０１９２】
次に、図１５を参照して、本実施形態の調整画像データ生成装置１０と連携する連携装置３１０を説明する。図１５は、本実施形態の調整画像データ生成装置１０および連携装置３１０を説明するための模式図である。ここでは、記憶部１８は、調整画像データ生成プログラム１０ｓを記憶する。制御部１６が、調整画像データ生成プログラム１０ｓを実行することにより、調整部１４が具現化される。
【０１９３】
連携装置３１０は、端末装置ＴＤ１〜ＴＤ４と通信する。連携装置３１０は、端末装置ＴＤ１〜ＴＤ４からの指示に基づいて端末装置ＴＤ１〜ＴＤ４が表示するための表示画像を表す画像データを送信する。ここでは、端末装置ＴＤ１〜ＴＤ３はスマートフォンであり、端末装置Ｔ４はパーソナルコンピューターである。
【０１９４】
調整画像データ生成装置１０は、連携装置３１０と通信する。調整画像データ生成装置１０は、連携装置３１０からの指示に応じて連携装置３１０と連携して動作する。
【０１９５】
端末装置ＴＤ１〜ＴＤ４は、ユーザーの指示に基づいて、端末装置ＴＤ１〜ＴＤ４の表示画面に表示する画像を表す画像データを連携装置３１０に送信するように要求する。連携装置３１０は、画像データの少なくとも一部として調整画像データＡＤを出力するように調整画像データ生成装置１０に要求する。
【０１９６】
調整画像データ生成装置１０は、連携装置３１０からの要求に従って、調整画像データＡＤを含む出力信号ＯＳを連携装置３１０に出力する。連携装置３１０は、端末装置ＴＤ１〜ＴＤ４からの要求に従って、調整画像データＡＤを少なくとも一部として用いた画像データを端末装置ＴＤ１〜ＴＤ４にそれぞれ送信する。
【０１９７】
連携装置３１０は、通信部３１２と、制御部３１４と、記憶部３１６とを備える。制御部３１４は、通信部３１２および記憶部３１６を制御する。通信部３１２は、外部端末と通信する。例えば、通信部３１２は、端末装置ＴＤ１〜ＴＤ４および調整画像データ生成装置１０と通信する。
【０１９８】
記憶部３１６は、連携先プログラム３１０ｓを記憶する。連携先プログラム３１０ｓは、商品を販売するための表示画面を表示するためのプログラムであってもよい。または、連携先プログラムは、商品を販売するための表示画面と連動した在庫管理プログラムであってもよい。
【０１９９】
連携装置３１０は、端末装置ＴＤ１〜ＴＤ４からの要求の前に、調整画像データＡＤを含む出力信号を受信し、記憶部３１６は、調整画像データＡＤを記憶してもよい。あるいは、連携装置３１０は、端末装置ＴＤ１〜ＴＤ４からの要求に基づいて、調整画像データＡＤを出力するように調整画像データ生成装置１０に要求してもよい。
【０２００】
このように、連携装置３１０は、端末装置ＴＤ１〜ＴＤ４からの要求に応じて、または、端末装置ＴＤ１〜ＴＤ４からの要求に先立ち、画像データＧＤを含む信号を調整画像データ生成装置１０に送信し、また、調整画像データ生成装置１０が調整画像データＡＤを含む信号を出力するように調整画像データ生成装置１０に要求する。同様に、調整画像データ生成装置１０は、端末装置ＴＤ１〜ＴＤ４からの要求に応じて、または、端末装置ＴＤ１〜ＴＤ４からの要求に先立ち、連携装置３１０から画像データＧＤを含む入力信号ＩＳを受信し、また、連携装置３１０に調整画像データＡＤを含む出力信号ＯＳを送信する。このため、端末装置ＴＤ１〜ＴＤ４は、連携装置３１０から、調整画像データを含む信号を受信し、対象物画像Ｔａを含む画像を表示できる。
【０２０１】
本実施形態によれば、調整画像データ生成装置１０は、連携装置３１０と連携して動作する。このため、端末装置ＴＤ１〜ＴＤ４のユーザーは、データ生成装置１０の調整画像データ生成プログラム１０ｓを直接的に実行しなくても、連携装置３１０の連携先プログラム３１０ｓを実行することにより、調整画像データを受信でき、高い再現性で色の表示された対象物画像を視認できる。
【０２０２】
以上、図面を参照して本発明の実施形態について説明した。ただし、本発明は、上記の実施形態に限られるものではなく、その要旨を逸脱しない範囲で種々の態様において実施できる。また、上記の実施形態に開示されている複数の構成要素は適宜改変可能である。例えば、ある実施形態に示される全構成要素のうちのある構成要素を別の実施形態の構成要素に追加してもよく、または、ある実施形態に示される全構成要素いくつかの構成要素を実施形態から削除してもよい。
【０２０３】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【産業上の利用可能性】
【０２０４】
本発明によれば、対象物の色を高い再現性で表現可能な調整画像データを生成できる。
【符号の説明】
【０２０５】
１０  調整画像データ生成装置
１２  通信部
１４  調整部
１６  制御部
１８  記憶部
１００  調整画像データ生成システム
２００  色差調整画像表示システム
【図１】
2020167680.tif 000003
【図２】
2020167680.tif 000004
【図３】
2020167680.tif 000005
【図４】
2020167680.tif 000006
【図５】
2020167680.tif 000007
【図６】
2020167680.tif 000008
【図７】
2020167680.tif 000009
【図８】
2020167680.tif 000010
【図９】
2020167680.tif 000011
【図１０】
2020167680.tif 000012
【図１１】
2020167680.tif 000013
【図１２】
2020167680.tif 000014
【図１３】
2020167680.tif 000015
【図１４】
2020167680.tif 000016
【図１５】
2020167680.tif 000017
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
色基準物の色基準データを記憶する記憶部と、
前記色基準物を示す色基準物画像と対象物を示す対象物画像との両方を表す画像データに対して、前記色基準物画像の色データが前記色基準データと整合するように前記対象物画像を示す色信号を調整した調整画像データを生成する調整部と
を備える、調整画像データ生成装置。
【請求項２】
前記調整部は、前記調整画像データから前記色基準物画像の部分を削除する、請求項１に記載の調整画像データ生成装置。
【請求項３】
前記調整部は、前記色基準データと前記色データとの差分を取得する、請求項１または２に記載の調整画像データ生成装置。
【請求項４】
前記調整部は、前記色基準データと前記色データとに基づいて色基準調整テーブルを生成し、
前記調整部は、追加対象物を示す追加対象物画像を表す画像データに対して、前記色基準調整テーブルに基づいて、前記追加対象物画像を調整した調整画像データを生成する、請求項１から３のいずれかに記載の調整画像データ生成装置。
【請求項５】
前記記憶部は、前記調整画像データ生成装置と表示装置との間で色信号を変化するための色変換テーブルを記憶しており、
前記調整部は、前記調整画像データと前記色変換テーブルとに基づいて色差調整画像データを生成する、請求項１から４のいずれかに記載の調整画像データ生成装置。
【請求項６】
請求項５に記載の調整画像データ生成装置と、
表示装置と
を備え、
前記表示装置は、前記色差調整画像データに基づいて前記対象物画像を表示する、色差調整画像表示システム。
【請求項７】
色基準物の色基準データを記憶するステップと、
前記色基準物を示す色基準物画像と対象物を示す対象物画像との両方を表す画像データに対して、前記色基準物画像の色データが前記色基準データと整合するように前記対象物画像を示す色信号を調整した調整画像データを生成するステップと
を包含する、調整画像データ生成方法。
【請求項８】
前記調整画像データから前記色基準物画像の部分を削除するステップをさらに包含する、請求項７に記載の調整画像データ生成方法。
【請求項９】
前記調整画像データを生成するステップにおいて、前記色基準データと前記色データとの差分を取得する、請求項７または８に記載の調整画像データ生成方法。
【請求項１０】
前記調整画像データを生成するステップにおいて、前記色基準データと前記色データとに基づいて色基準調整テーブルを生成し、
追加対象物を示す追加対象物画像を表す画像データに対して、前記色基準調整テーブルに基づいて、前記追加対象物画像を調整した調整画像データを生成するステップをさらに包含する、請求項７〜９のいずれかに記載の調整画像データ生成方法。
【請求項１１】
色基準物を示す色基準物画像と対象物を示す対象物画像とを表す画像データを受け取るステップと、
前記画像データに対して、前記色基準物画像の色データが前記色基準物画像の色基準データと整合するように前記対象物画像を調整した調整画像データを生成するステップと
をコンピューターに実行させる、調整画像データ生成プログラム。
【請求項１２】
請求項７から１０のいずれかに記載の調整画像データ生成方法にしたがって、調整画像データ生成装置において調整画像データを生成するステップと、
前記調整画像データ生成装置と表示装置との間で色信号を変換するための色変換テーブルを生成するステップと、
前記調整画像データと前記色変換テーブルとに基づいて色差調整画像データを生成するステップと、
前記色差調整画像データを前記表示装置に送信するステップと
を包含する、色差調整画像表示方法。
【請求項１３】
前記色差調整画像データを生成するステップにおいて、前記色差調整画像データは、前記調整画像データと前記色変換テーブルとを含む、請求項１２に記載の色差調整画像表示方法。
【請求項１４】
色基準物の色基準データと、前記色基準物を示す色基準物画像を表す画像データの色データとの関係を示す色基準調整テーブルを記憶する記憶部と、
対象物画像を表す画像データに基づいて、前記色基準調整テーブルに従って前記対象物画像のうちの調整対象範囲として指定された範囲内の画像を示す色信号を調整した調整画像データを生成する調整部と
を備える、調整画像データ生成装置。
【請求項１５】
色基準物の色基準データと、前記色基準物を示す色基準物画像を表す画像データの色データとの関係を示す色基準調整テーブルを取得するステップと、
対象物画像を表す画像データに基づいて、前記色基準調整テーブルに従って前記対象物画像のうちの調整対象範囲として指定された範囲内の画像を示す色信号を調整した調整画像データを生成するステップと
を包含する、調整画像データ生成方法。